(57)【要約】【課題】NATが用いられる環境において、ショートメッセージサービス（SMS）を用いず安価にIPをベースとしたプロトコルによるアプリケーションサーバからMTCユーザ装置への着信を可能とする通信システム、サービス制御装置、MTCユーザ装置、ゲートウェイ装置及び通信方法を提供する。【解決手段】通信システム10では、IN-CSE200は、MTC-UE100から取得した公衆IPアドレスと、UE-IDとを対応付けて保持し、AS40AからMTC-UE100宛ての着信を受け付ける。IN-CSE200は、当該着信を受け付けた場合、保持されているUE-IDと対応付けられた公衆IPアドレスが宛先アドレスに設定されるとともに、当該UE-IDを含むIPパケットをGGSN/PGW310に配信する。GGSN/PGW310は、IN-CSE200から受信したIPパケットに含まれるUE-IDに基づいて、MTC-UE100に割り当てられているプライベートIPアドレスを特定する。【選択図】図６
2015106812.tif 000002
【特許請求の範囲】
【請求項１】
マシン間通信を実行するMTCユーザ装置が無線により接続可能であり、前記MTCユーザ装置に割り当てられるプライベートIPアドレスと公衆IPアドレスとの変換を実行するゲートウェイ装置を含む無線通信ネットワークと、
前記無線通信ネットワークと接続され、前記マシン間通信に関するサービスを制御するサービス制御装置を含むM2Mプラットフォームと
を備える通信システムであって、
前記MTCユーザ装置は、前記無線通信ネットワークによって割り当てられた公衆IPアドレスを前記サービス制御装置に通知するIPアドレス通知部を備え、
前記サービス制御装置は、
前記MTCユーザ装置から通知された前記公衆IPアドレスを取得するIPアドレス取得部と、
前記IPアドレス取得部によって取得された前記公衆IPアドレスと、前記MTCユーザ装置を識別する装置識別子とを対応付けて保持する保持部と、
前記無線通信ネットワーク外に位置するアプリケーションサーバから前記MTCユーザ装置宛ての着信を受け付ける着信受付部と、
前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部と
を備え、
前記ゲートウェイ装置は、前記サービス制御装置から受信した前記IPパケットに含まれる前記装置識別子に基づいて、前記MTCユーザ装置に割り当てられているプライベートIPアドレスを特定するアドレス特定部を備える通信システム。
【請求項２】
前記IPパケット処理部は、前記装置識別子を含み、前記ゲートウェイ装置に配信した前記IPパケットに対する肯定応答を前記ゲートウェイ装置から受信した場合、前記IPパケットの宛先アドレスに設定された前記公衆IPアドレスを含む着信応答を前記アプリケーションサーバに送信する請求項１に記載の通信システム。
【請求項３】
前記ゲートウェイ装置に配信した前記IPパケットに対する肯定応答を受信できない場合、インターネットプロトコルを用いないショートメッセージサービスを利用し、前記アプリケーションサーバから前記MTCユーザ装置への着信を通知するSMS処理部を備える請求項１に記載の通信システム。
【請求項４】
前記公衆IPアドレスは、複数のMTCユーザ装置で共用され、
前記IPパケット処理部は、前記装置識別子及び前記公衆IPアドレスと対応付けられたトランスポート層のポート番号を含むIPパケットを前記ゲートウェイ装置に配信する請求項１に記載の通信システム。
【請求項５】
前記サービス制御装置は、前記保持部に保持されている前記装置識別子と対応付けられ、前記MTCユーザ装置を前記無線通信ネットワーク内において識別可能な内部装置識別子を前記無線通信ネットワークから取得する識別子取得部をさらに備え、
前記IPパケット処理部は、前記識別子取得部によって取得された前記内部装置識別子を含むIPパケットを前記ゲートウェイ装置に配信する請求項１に記載の通信システム。
【請求項６】
前記IPアドレス通知部は、前記公衆IPアドレス及び前記装置識別子を前記サービス制御装置に通知し、
前記IPアドレス取得部は、前記MTCユーザ装置から通知された前記公衆IPアドレス及び前記装置識別子を取得し、
前記保持部は、前記IPアドレス取得部によって取得された前記公衆IPアドレス及び前記装置識別子を対応付けて保持する請求項１に記載の通信システム。
【請求項７】
マシン間通信を実行するMTCユーザ装置に割り当てられるプライベートIPアドレスと公衆IPアドレスとの変換を実行するゲートウェイ装置を含む無線通信ネットワークと接続され、前記マシン間通信に関するサービスを制御するサービス制御装置であって、
前記MTCユーザ装置に割り当てられた前記公衆IPアドレスを取得するIPアドレス取得部と、
前記IPアドレス取得部によって取得された前記公衆IPアドレスと、前記MTCユーザ装置を識別する装置識別子とを対応付けて保持する保持部と、
前記無線通信ネットワーク外に位置するアプリケーションサーバから前記MTCユーザ装置宛ての着信を受け付ける着信受付部と、
前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部と
を備えるサービス制御装置。
【請求項８】
プライベートIPアドレスと公衆IPアドレスとの変換を実行するゲートウェイ装置を含む無線通信ネットワークに無線により接続可能であり、サービス制御装置を含むM2Mプラットフォームと、マシン間通信を実行するMTCユーザ装置であって、
前記無線通信ネットワークによって割り当てられた公衆IPアドレスを前記サービス制御装置に通知するIPアドレス通知部を備えるMTCユーザ装置。
【請求項９】
マシン間通信を実行するMTCユーザ装置に割り当てられるプライベートIPアドレスと公衆IPアドレスとの変換を実行するゲートウェイ装置であって、
前記マシン間通信に関するサービスを制御するサービス制御装置から受信した前記IPパケットに含まれ、前記MTCユーザ装置を識別する装置識別子に基づいて、前記MTCユーザ装置に割り当てられているプライベートIPアドレスを特定するアドレス特定部を備えるゲートウェイ装置。
【請求項１０】
マシン間通信を実行するMTCユーザ装置が無線により接続可能であり、前記MTCユーザ装置に割り当てられるプライベートIPアドレスと公衆IPアドレスとの変換を実行するゲートウェイ装置を含む無線通信ネットワークと、
前記無線通信ネットワークと接続され、前記マシン間通信に関するサービスを制御するサービス制御装置を含むM2Mプラットフォームと
による通信方法であって、
前記MTCユーザ装置が、前記無線通信ネットワークによって割り当てられた公衆IPアドレスを前記サービス制御装置に通知するステップと、
前記サービス制御装置が、前記MTCユーザ装置から通知された前記公衆IPアドレスを取得するステップと、
前記サービス制御装置が、取得した前記公衆IPアドレスと、前記MTCユーザ装置を識別する装置識別子とを対応付けて保持するステップと、
前記サービス制御装置が、前記無線通信ネットワーク外に位置するアプリケーションサーバから前記MTCユーザ装置宛ての着信を受け付けるステップと、
前記サービス制御装置が、前記着信を受け付けた場合、保持されている前記装置識別子と対応付けられた前記公衆IPアドレスが宛先アドレスに設定されるとともに、前記装置識別子を含むIPパケットを前記ゲートウェイ装置に配信するステップと、
前記ゲートウェイ装置が、前記サービス制御装置から受信した前記IPパケットに含まれる前記装置識別子に基づいて、前記MTCユーザ装置に割り当てられているプライベートIPアドレスを特定するステップと
含む通信方法。
【発明の詳細な説明】
【技術分野】
【０００１】
本発明は、3GPPのPLMNとM2Mプラットフォームとを含む通信システム、サービス制御装置、MTCユーザ装置、ゲートウェイ装置及び通信方法に関する。
【背景技術】
【０００２】
近年、通信ネットワークに接続されたマシン同士が人間による操作を介在せずに通信を実行し、適切なマシンの制御などを自動的に実行するM2M（Machine-to-Machine）、すなわち、マシン間通信の検討が進められている。例えば、3rd Generation Partnership Project（3GPP）では、Machine Type Communication（MTC）との名称で、M2Mに関する通信規格の標準化が進められている（例えば、非特許文献１）。
【０００３】
また、oneM2M（http://www.onem2m.org/）では、M2Mプラットフォームと、3GPPのPublic Land Mobile Network（PLMN）とのインターワーキングについても検討が進められている。具体的には、M2Mプラットフォームを構成するCommon Service Entity（CSE）と、PLMNを構成するGateway GPRS Support Node/PDN Gateway（GGSN/P-GW）及びMTC-InterWorking Function（MTC-IWF）とを接続するインターフェース（Y-IF及びZ-IF）が規定されている（例えば、非特許文献２）。
【０００４】
このようなインターワーキング環境では、アプリケーションサーバ（AS）からMTCに対応したMTCユーザ装置（MTC-UE）への着信は、従来のショートメッセージサービス（SMS）を利用して実現される。
【先行技術文献】
【非特許文献】
【０００５】
【非特許文献１】3GPP TS 22.368 V12.2.0 Technical Specification Group Services and System Aspects; Service requirements for Machine-Type Communications (MTC); Stage 1 (Release 12)、3GPP、2013年3月
【非特許文献２】oneM2M-ARC-2013-0390R2, “oneM2M Interworking with 3gpp Underlying NW”、NTT DOCOMO、2013年10月
【発明の概要】
【発明が解決しようとする課題】
【０００６】
しかしながら、上述したM2Mプラットフォームと3GPPのPLMNとのインターワーキングには、次のような問題があった。すなわち、ASからMTC-UEへの着信にはSMSが利用されるため、MTC-UEにSMSクライアントの機能を実装する必要がある。SMSは、従来から継続しているサービスであり、インターネットプロトコル（IP）をベースとしたものではなく、プロトコルスタックが複雑である。このため、実装や管理上のコストが問題となる。
【０００７】
一方で、IPをベースとしてASからMTC-UEへの着信を実現する場合、PLMN内ではプライベートIPアドレスが用いられるため、GGSN/P-GWにおいて、公衆IPアドレス〜プライベートIPアドレスの変換機能であるNetwork Address Translation（NAT）が存在するため、PLMN外のASからMTC-UEに着信させる場合、NATの問題を解決する必要がある。このようなNATの問題を解決（いわゆるNAT越え）する方法として、例えば、Interactive Connectivity Establishment（ICE）が知られているが、当該機能を利用するための拡張、例えばブラウザ機能をMTC-UEに実装するなどの必要があり、小型で安価であることが要求されるMTC-UEには相応しくない。
【０００８】
そこで、本発明は、このような状況に鑑みてなされたものであり、NATが用いられる環境において、ショートメッセージサービス（SMS）を用いず安価にIPをベースとしたプロトコルによるアプリケーションサーバからMTCユーザ装置への着信を可能とする通信システム、サービス制御装置、MTCユーザ装置、ゲートウェイ装置及び通信方法の提供を目的とする。
【課題を解決するための手段】
【０００９】
本発明の第１の特徴は、マシン間通信を実行するMTCユーザ装置が無線により接続可能であり、前記MTCユーザ装置に割り当てられるプライベートIPアドレスと公衆IPアドレスとの変換を実行するゲートウェイ装置を含む無線通信ネットワークと、前記無線通信ネットワークと接続され、前記マシン間通信に関するサービスを制御するサービス制御装置を含むM2Mプラットフォームとを備える通信システムであって、前記MTCユーザ装置は、前記無線通信ネットワークによって割り当てられた公衆IPアドレスを前記サービス制御装置に通知するIPアドレス通知部を備え、前記サービス制御装置は、前記MTCユーザ装置から通知された前記公衆IPアドレスを取得するIPアドレス取得部と、前記IPアドレス取得部によって取得された前記公衆IPアドレスと、前記MTCユーザ装置を識別する装置識別子とを対応付けて保持する保持部と、前記無線通信ネットワーク外に位置するアプリケーションサーバから前記MTCユーザ装置宛ての着信を受け付ける着信受付部と、前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部とを備え、前記ゲートウェイ装置は、前記サービス制御装置から受信した前記IPパケットに含まれる前記装置識別子に基づいて、前記MTCユーザ装置に割り当てられているプライベートIPアドレスを特定するアドレス特定部を備えることを要旨とする。
【００１０】
本発明の第２の特徴は、マシン間通信を実行するMTCユーザ装置に割り当てられるプライベートIPアドレスと公衆IPアドレスとの変換を実行するゲートウェイ装置を含む無線通信ネットワークと接続され、前記マシン間通信に関するサービスを制御するサービス制御装置であって、前記MTCユーザ装置から通知された前記公衆IPアドレスを取得するIPアドレス取得部と、前記IPアドレス取得部によって取得された前記公衆IPアドレスと、前記MTCユーザ装置を識別する装置識別子とを対応付けて保持する保持部と、前記無線通信ネットワーク外に位置するアプリケーションサーバから前記MTCユーザ装置宛ての着信を受け付ける着信受付部と、前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部とを備えることを要旨とする。
【００１１】
本発明の第３の特徴は、プライベートIPアドレスと公衆IPアドレスとの変換を実行するゲートウェイ装置を含む無線通信ネットワークに無線により接続可能であり、サービス制御装置を含むM2Mプラットフォームと、マシン間通信を実行するMTCユーザ装置であって、前記無線通信ネットワークによって割り当てられた公衆IPアドレスを前記サービス制御装置に通知するIPアドレス通知部を備えることを要旨とする。
【００１２】
本発明の第４の特徴は、マシン間通信を実行するMTCユーザ装置に割り当てられるプライベートIPアドレスと公衆IPアドレスとの変換を実行するゲートウェイ装置であって、前記マシン間通信に関するサービスを制御するサービス制御装置から受信した前記IPパケットに含まれ、前記MTCユーザ装置を識別する装置識別子に基づいて、前記MTCユーザ装置に割り当てられているプライベートIPアドレスを特定するアドレス特定部を備えることを要旨とする。
【００１３】
本発明の第５の特徴は、マシン間通信を実行するMTCユーザ装置が無線により接続可能であり、前記MTCユーザ装置に割り当てられるプライベートIPアドレスと公衆IPアドレスとの変換を実行するゲートウェイ装置を含む無線通信ネットワークと、前記無線通信ネットワークと接続され、前記マシン間通信に関するサービスを制御するサービス制御装置を含むM2Mプラットフォームとによる通信方法であって、前記MTCユーザ装置が、前記無線通信ネットワークによって割り当てられた公衆IPアドレスを前記サービス制御装置に通知するステップと、前記サービス制御装置が、前記MTCユーザ装置から通知された前記公衆IPアドレスを取得するステップと、前記サービス制御装置が、取得した前記公衆IPアドレスと、前記MTCユーザ装置を識別する装置識別子とを対応付けて保持するステップと、前記サービス制御装置が、前記無線通信ネットワーク外に位置するアプリケーションサーバから前記MTCユーザ装置宛ての着信を受け付けるステップと、前記サービス制御装置が、前記着信を受け付けた場合、保持されている前記装置識別子と対応付けられた前記公衆IPアドレスが宛先アドレスに設定されるとともに、前記装置識別子を含むIPパケットを前記ゲートウェイ装置に配信するステップと、前記ゲートウェイ装置が、前記サービス制御装置から受信した前記IPパケットに含まれる前記装置識別子に基づいて、前記MTCユーザ装置に割り当てられているプライベートIPアドレスを特定するステップと含むことを要旨とする。
【発明の効果】
【００１４】
本発明の特徴によれば、NATが用いられる環境において、ショートメッセージサービス（SMS）を用いず安価にIPをベースとしたプロトコルによるアプリケーションサーバからMTCユーザ装置への着信を可能とする通信システム、サービス制御装置、MTCユーザ装置、ゲートウェイ装置及び通信方法を提供することができる。
【図面の簡単な説明】
【００１５】
【図１】本発明の実施形態に係る通信システム10の全体概略構成図である。
【図２】本発明の実施形態に係るMTC-UE100の機能ブロック構成図である。
【図３】本発明の実施形態に係るIN-CSE200の機能ブロック構成図である。
【図４】本発明の実施形態に係るGGSN/PGW310の機能ブロック構成図である。
【図５】本発明の実施形態に係るMTC-UE100によるPLMN30へのアタッチに伴うIN-CSE200へのIPアドレス及びUE-IDの登録シーケンスを示す図である。
【図６】本発明の実施形態に係るAS40AからMTC-UE100への着信シーケンスを示す図である。
【図７】本発明の実施形態に係るアドレステーブル保持部203によって保持されるアドレステーブルの一例を示す図である。
【発明を実施するための形態】
【００１６】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１７】
したがって、具体的な寸法などは以下の説明を参酌して判断すべきものである。また、図面相互間においても互いの寸法の関係や比率が異なる部分が含まれていることは勿論である。
【００１８】
（１）通信システムの全体概略構成
図１は、本実施形態に係る通信システム10の全体概略構成図である。図１に示すように、通信システム10は、M2Mプラットフォーム20、Public Land Mobile Network 30（以下、PLMN30）を備える。また、通信システム10には、Machine Type Communication-User Equipment 100（以下、MTC-UE100）が含まれる。
【００１９】
M2Mプラットフォーム20には、アプリケーションサーバ40A, 40B（以下、AS40A, 40B）が接続される。AS40A, 40Bは、M2Mプラットフォーム20及びPLMN30を介して、MTC-UE100とマシン間通信を実行することができる。AS40A, 40Bは、MTC-UE100から出力されるデータに基づいて特定のアプリケーション（例えば、MTC-UE100と接続された電力メータのデータ収集管理や、MTC-UE100の位置情報管理など）を実行する。
【００２０】
また、通信システム10には、MTC-UE100に対してIPアドレス（プライベートIPアドレス・公衆IPアドレス）を割り当てるDHCPサーバ50、及びドメイン名に対応付けられたIPアドレスを提供し、名前解決を実行するDNSサーバ60が接続される。
【００２１】
M2Mプラットフォーム20は、oneM2M（http://www.onem2m.org/）において検討されているM2Mプラットフォーム（M2M-PF）に対する要求条件を満たすとともに、MTC-UE100から送信されるデータを活用したサービスの最適化する機能などを提供する。M2Mプラットフォーム20には、Infrastructure Node Common Service Entity 200（以下、IN-CSE200）が含まれる。
【００２２】
PLMN30は、3rd Generation Partnership Project（3GPP）によって規定される3G（W-CDMA）やLong Term Evolution（LTE）に従った無線通信ネットワーク（公衆移動通信ネットワーク）であり、マシン間通信を実行するMTC-UE100が無線により接続可能である。PLMN30には、Gateway GPRS Support Node/PDN Gateway 310（以下、GGSN/PGW310）及びMTC-InterWorking Function 320（以下、MTC-IWF320）が含まれる。
【００２３】
MTC-UE100は、マシン間通信を実行可能なユーザ装置であり、oneM2MにおけるApplication Service Node (ASN) CSE（ASN-CSE）に相当する。
【００２４】
IN-CSE200は、マシン間通信に関するサービスを制御する。具体的には、IN-CSE200は、AS40A, 40BからMTC-UE100への着信を処理したり、MTC-UE100〜AS40A, 40B間におけるIPパケットを中継したりする。IN-CSE200は、oneM2MにおけるService Capability Server（SCS）の機能を有する。本実施形態において、IN-CSE200は、サービス制御装置を構成する。
【００２５】
GGSN/PGW310は、パケットアクセスのゲートウェイノードであるとともに、PLMN30におけるQoS制御やベアラ設定制御などを実行する。また、GGSN/PGW310は、MTC-UE100に割り当てられるプライベートIPアドレスと公衆IPアドレスとの変換を実行する。本実施形態において、GGSN/PGW310は、ゲートウェイ装置を構成する。なお、本実施形態では、IPv4が用いられるネットワークを前提とする。
【００２６】
MTC-IWF320は、M2Mプラットフォーム20とPLMN30とのインターワーキングに必要な機能を提供する。具体的には、MTC-IWF320は、PLMN30の外部で用いられるMTC-UE100の識別子（Ext-ID）からPLMN30内部で用いられるMTC-UE100の識別子（Int-ID）を導出する。なお、MTC-IWF320の機能は、3GPPPにおいて規定されるHome Subscriber Server（HSS）によって提供される。
【００２７】
（２）通信システムの機能ブロック構成
次に、通信システム10の機能ブロック構成について説明する。具体的には、MTC-UE100、IN-CSE200及びGGSN/PGW310の機能ブロック構成について説明する。
【００２８】
（２．１）MTC-UE100
図２は、MTC-UE100の機能ブロック構成図である。図２に示すように、MTC-UE100は、アタッチ手順実行部101、DHCP処理部103、DNS処理部105及びIPアドレス通知部107を備える。
【００２９】
アタッチ手順実行部101は、PLMN30とのアタッチ手順を実行する。具体的には、アタッチ手順実行部101は、3GPPのTS23.401やTS23.060などの規定に従ってGGSN/PGW310とアタッチ手順を実行し、通信ベアラなどを設定する。
【００３０】
DHCP処理部103は、Dynamic Host Configuration Protocol（DHCP）に従った処理を実行する。具体的には、DHCP処理部103は、DHCP QueryをDHCPサーバ50に送信し、DNSサーバ60のIPアドレスを取得する。また、DHCP処理部103は、ターゲットとするIN-CSE200のドメイン名（FQDN）のリストを取得することもできる。
【００３１】
DNS処理部105は、Domain Name System（DNS）に従った処理を実行する。具体的には、DNS処理部105は、DNS QueryをDNSサーバ60に送信し、ターゲットとするIN-CSE200のIPアドレス及びドメイン名を取得する。
【００３２】
IPアドレス通知部107は、PLMN30によって割り当てられたIPアドレスをM2Mプラットフォーム20に通知する。具体的には、IPアドレス通知部107は、PLMN30によって割り当てられたIPアドレスをIN-CSE200に通知する。
【００３３】
IPアドレス通知部107は、GGSN/PGW310のNetwork Address Translation（NAT）機能によってMTC-UE100に割り当てられるIPアドレス（すなわち転送先）を更新した場合、更新したIPアドレス、例えば、公衆IPアドレス（NATにおけるグローバルIPアドレスと同様）と、MTC-UE100自体のUE-IDとをIN-CSE200に通知することができる。また、IPアドレス通知部107は、PLMN30を構成する無線基地局（NBまたはeNB）のリロケーションよってMTC-UE100に割り当てられる公衆IPアドレスを更新した場合、同様に公衆IPアドレスと、MTC-UE100自体のUE-IDとをIN-CSE200に通知することもできる。
【００３４】
（２．２）IN-CSE200
図３は、IN-CSE200の機能ブロック構成図である。図３に示すように、IN-CSE200は、IPアドレス取得部201、アドレステーブル保持部203、着信受付部205、DNS処理部207、ID処理部209、IPパケット処理部211及びSMS処理部213を備える。
【００３５】
IPアドレス取得部201は、MTC-UE100から通知されたIPアドレスを取得する。具体的には、IPアドレス取得部201は、PLMN30を介してMTC-UE100に割り当てられた公衆IPアドレスを取得する。また、IPアドレス取得部201は、当該公衆IPアドレスとMTC-UE100自体のUE-IDとをMTC-UE100から取得することもできる。さらに、IPアドレス取得部201は、当該公衆IPアドレスとMTC-UE100自体のUE-IDとをGGSN/PGW310から取得してもよい。
【００３６】
アドレステーブル保持部203は、IPアドレスと、当該IPアドレスが割り当てられた装置との対応関係を示すアドレステーブルを保持する。具体的には、アドレステーブル保持部203は、IPアドレス取得部201によって取得されたIPアドレス（公衆IPアドレス）と、MTC-UE100を識別するUE-ID（装置識別子）とを対応付けて保持する。
【００３７】
図７は、アドレステーブル保持部203によって保持されるアドレステーブルの一例を示す。図７に示すアドレステーブルでは、UE-ID、IPアドレス及びトランスポート層のポート番号が対応づけられている。
【００３８】
UE-IDとしては、International Mobile Equipment Identity Software Version（IMEI-SV）、M2M-Node-ID、Mobile Subscriber ISDN Number（MSISDN）、Terminated-CSE-IDまたはInternational Mobile Subscriber Identity（IMSI）などを用いることができる。なお、図７に示すUE-IDは、IMSI（例えば15桁以下の10進数）を例としている。各UE-IDには、当該UE（MTC-UE100）に割り当てられたIPアドレス（公衆IPアドレス）が対応付けられる。また、図７に示すアドレステーブルでは、UE-ID及びIPアドレスに、さらにポート番号が対応付けられているが、ポート番号は必須ではない。ポート番号は、NATが用いられるIPネットワークにおいて、同一のIPアドレス（公衆IPアドレス）が複数のUEに割り当てられる場合に、当該UEを識別するために利用される。従って、本実施形態では、当該ポート番号は、一種のUE-IDとして取り扱うものとする。
【００３９】
着信受付部205は、M2Mプラットフォーム20に接続されているAS40A, 40BからMTC-UE100宛ての着信を受け付ける。つまり、着信受付部205は、PLMN30外に位置するAS40A, 40BからMTC-UE100宛ての着信を受け付ける。具体的には、着信受付部205は、AS40A, 40BからMT IP Triggering Requestを受信する。
【００４０】
DNS処理部207は、DNSに従った処理を実行する。具体的には、DNS処理部207は、DNS QueryをDNSサーバ60に送信し、UE-ID（Terminated CSE-ID）に基づいてターゲットとするMTC-UE100のIPアドレスを取得する。なお、DNS処理部207は、PLMN30内のネットワーク構成（IPアドレスを含む）に関する詳細情報を認識していない場合、PLMN30の外部で用いられるMTC-UE100の識別子（Ext-ID）を用いてDNS QueryをDNSサーバ60に送信し、MTC-IWF320のIPアドレスを取得する。
【００４１】
ID処理部209は、MTC-UE100の識別子（UE-ID）に関する処理を実行する。具体的には、ID処理部209は、アドレステーブル保持部203に保持されているアドレステーブル（図７参照）のUE-IDと対応付けられ、MTC-UE100をPLMN30内において識別可能なInt-ID（内部装置識別子）をPLMN30から取得することができる。本実施形態において、ID処理部209は、識別子取得部を構成する。
【００４２】
IPパケット処理部211は、MTC-UE100〜AS40A, 40Bにおいて送受信されるIPパケットの処理を実行する。具体的には、IPパケット処理部211は、IPパケットの宛先アドレス及び送信元アドレスを設定したり、IPパケットの宛先アドレスに基づいて当該IPパケットを該当する装置に向けて配信したりする。
【００４３】
特に、本実施形態では、IPパケット処理部211は、着信受付部205がAS40A, 40BからがMTC-UE100宛ての着信を受け付けた場合、アドレステーブル保持部203に保持されているUE-IDと対応付けられた公衆IPアドレスが宛先アドレスに設定されるとともに、当該UE-IDを含むIPパケットをGGSN/PGW310に配信する。また、IPパケット処理部211は、当該UE-ID及び当該UE-IDと対応付けられた公衆IPアドレスを含み、GGSN/PGW310に配信したIPパケットに対する肯定応答（Delivered IP packet Ack (UE-ID, UE public IP address)）をGGSN/PGW310から受信した場合、IPパケットの宛先アドレスに設定された公衆IPアドレスを含む着信応答（MT IP Triggering Ack (confirmed UE public IP address)）をAS40A（またはAS40B）に送信する。
【００４４】
なお、MTC-UE100に割り当てられる公衆IPアドレスが、複数のMTCユーザ装置で共用される場合、IPパケット処理部211は、UE-ID及び公衆IPアドレスと対応付けられたトランスポート層のポート番号を含むIPパケットをGGSN/PGW310に配信することもできる。
【００４５】
また、IPパケット処理部211は、UE-ID（Ext-ID）に代えて、ID処理部209によって取得されたInt-ID（内部装置識別子）を含むIPパケットをGGSN/PGW310に配信することもできる。
【００４６】
SMS処理部213は、インターネットプロトコル（IP）を用いないショートメッセージサービス（SMS）に関する処理を実行する。なお、ここにおけるSMSの動作は、3GPP（例えば、TS23.682）で規定されており、上述した非特許文献２のSection X.6.1.2にも記載されているものである。本実施形態では、SMS処理部213は、IPパケット処理部211がGGSN/PGW310に配信したIPパケットに対する肯定応答（Delivered IP packet Ack (UE-ID, UE public IP address）を受信できない場合、SMSを利用し、AS40A, 40BからMTC-UE100への着信を通知する。
【００４７】
（２．３）GGSN/PGW310
図４は、GGSN/PGW310の機能ブロック構成図である。図４に示すように、GGSN/PGW310は、IPパケット処理部311及びアドレス特定部313を備える。
【００４８】
IPパケット処理部311は、PLMN30におけるIPパケットの配信処理を実行する。また、IPパケット処理部311は、Network Address Translation（NAT）機能を有し、PLMN30で利用される公衆IPアドレスと、PLMN30（プライベートネットワーク）内で利用されるプライベートIPアドレスとの変換を実行する。
【００４９】
IPパケット処理部311は、アドレス特定部313によって特定されたプライベートIPアドレスに基づいて、当該プライベートIPアドレスが宛先アドレスに設定されたIPパケットをMTC-UE100に配信する。また、IPパケット処理部311は、MTC-UE100から受信したDelivered Ackに基づいて、UE-IDを含む肯定応答であるDelivered IP packet Ack (UE-ID, UE public IP addressをIN-CSE200に送信する。なお、MTC-UE100が、公衆IPアドレスを含めずにDelivered Ackを送信した場合には、IPパケット処理部311は、MTC-UE100に対応する公衆IPアドレスを付与し、当該公衆IPアドレスをDelivered IP packet Ack (UE-ID, UE public IP addressに含め、IN-CSE200送信する。なお、Delivered IP packet Ack (UE-ID, UE public IP addressをIN-CSE200に送信後、MTC-UE100とAS40A（またはAS40B）とは、直接IPパケットの送受信（End-to-Endでの送受信）が可能となる。
【００５０】
アドレス特定部313は、IN-CSE200から受信したIPパケットに含まれるMTC-UE100のUE-ID（例えば、IMSI）に基づいて、MTC-UE100に割り当てられているプライベートIPアドレスを特定する。アドレス特定部313は、特定したプライベートIPアドレスをIPパケット処理部311に通知する。
【００５１】
（３）通信システムの動作
次に、通信システム10の動作について説明する。具体的には、MTC-UE100によるIN-CSE200へのIPアドレス及びUE-IDの登録動作、及びAS40AからMTC-UE100への着信動作について説明する。
【００５２】
（３．１）MTC-UE100によるIN-CSE200へのIPアドレス及びUE-IDの登録動作
図５は、MTC-UE100によるPLMN30へのアタッチに伴うIN-CSE200へのIPアドレス及びUE-IDの登録シーケンスを示す。図５に示すように、MTC-UE100は、3GPPの規定（TS23.401やTS23.060）に従って、PLMN30へのアタッチ手順を実行する（ステップ1）。具体的には、MTC-UE100は、GGSN/PGW310とアタッチ手順を実行し、通信ベアラなどを設定する。
【００５３】
次いで、MTC-UE100は、接続したいPacket Data NW（PDN）のAccess Point Name（APN）などを含んだDHCP QueryをDHCPサーバ50に送信し、DNSサーバ60のIPアドレスを取得する（ステップ2）。また、MTC-UE100は、DNS QueryをDNSサーバ60に送信し、ターゲットとするIN-CSE200のIPアドレスを取得する（ステップ3）。
【００５４】
MTC-UE100は、取得したIN-CSE200（Serving IN-CSE）のIPアドレスに基づいて、IN-CSE200との通信を開始する（ステップ4）。具体的には、MTC-UE100は、IN-CSE200とIP Connectionを設定する。また、MTC-UE100は、当該設定に際して、GGSN/PGW310とのアタッチ手順において割り当てられたMTC-UE100の更新IPアドレス（公衆IPアドレス）と、MTC-UE100自体のUE-IDとをIN-CSE200に通知し、IN-CSE200が保持するアドレステーブル（図７参照）の更新を促す。
【００５５】
なお、MTC-UE100が、MTC-UE100に割り当てられた公衆IPアドレスを直接IN-CSE200に通知できない場合、例えば、GGSN/PGW310が公衆IPアドレスを割り当てている場合には、MTC-UE100に代えて、GGSN/PGW310がMTC-UE100のUE-IDと公衆IPアドレスとをIN-CSE200に通知してもよい。また、IN-CSE200がMTC-UE100のUE-IDを予め保持している場合など、当該UE-IDを認識可能な場合には、MTC-UE100は、当該UE-IDを送信しなくてもよい。
【００５６】
IN-CSE200は、MTC-UE100（またはGGSN/PGW310）から通知された更新IPアドレス（公衆IPアドレス）に基づいて、MTC-UE100のUE-IDと、通知された更新IPアドレスとのペアを保持し、アドレステーブルを更新する。
【００５７】
なお、UE-IDとしては、IMEI-SV、M2M-Node-ID、MSISDN、Terminated-CSE-IDあるいはIMSIを用いることができる。ここでは、IMSIを用いる例について説明する。また、上述したように、MTC-UE100は、PLMN30を構成する無線基地局（NBまたはeNB）のリロケーションやNATによる公衆IPアドレスの再割り当てによってMTC-UE100に割り当てられる公衆IPアドレス（すなわち転送先）を更新した場合にも、当該公衆IPアドレスをIN-CSE200に通知する。
【００５８】
（３．２）AS40AからMTC-UE100への着信動作
図６は、AS40AからMTC-UE100への着信シーケンスを示す。図６に示すように、IN-CSE200は、MTC-UE100のUE-IDと、GGSN/PGW310に実装されたNATによってMTC-UE100に割り当てられた公衆IPアドレスとのペアを保持している状態において、AS40AからMTC-UE100への着信、具体的には、UE-ID（MTC-UE100を一意に識別できるTerminated-CSE-IDなど）を含むMT IP Triggering Requestを受信する（ステップ1a）。
【００５９】
IN-CSE200は、受信したMT IP Triggering Requestに含まれるUE-IDや、MTC-UE100が位置するPLMN30のネットワーク情報に基づいて、DNS QueryをDNSサーバ60に送信し、MTC-IWF320のIPアドレスを取得する（ステップ2）。例えば、UE-IDがmtcUE0001.nttdocomo.co.jpのようなネットワーク情報を含むFQDN形式で記述されている場合、特定のネットワークへの着信宛先の識別が可能である。なお、この時点でIN-CSE200がMTC-UE100宛てにIPパケットを転送しない理由は、IN-CSE200が保持している宛先UE-IDに対応するIPアドレスが転送先として有効なのか不明であるためである。また、ステップ2の処理を実行することによって、IN-CSE200（SCS）とPLMN30（MTC-IWF320）の所有者（運用者）が別個独立の場合でも、MTC-UE100への着信を可能としている。なお、IN-CSE200及びMTC-IWF320の所有者（運用者）が同一で自明であれば、当該ステップの処理は不要である。
【００６０】
IN-CSE200は、取得したMTC-IWF320のIPアドレスに基づいて、MTC-IWF320にExt-ID - Int-ID Resolution Requestを送信し、Ext-ID - Int-ID Resolution Requestに対する応答を受信する（ステップ3a, 3b）。IN-CSE200は、このような処理によって、MTC-IWF320からInt-IDを取得する。つまり、IN-CSE200は、PLMN30の外部で用いられるMTC-UE100の識別子（Ext-ID）からPLMN30内部で用いられるMTC-UE100の識別子（Int-ID）を導出する。ここでは、Int-IDとしてもIMSIが用いられる場合を例として説明する。なお、Ext-IDやInt-IDは、IMSIに限らず、上述したUE-IDであれば他のIDでも構わない。
【００６１】
なお、Ext-ID及びInt-IDは、PLMN30の外部／内部で識別可能なMTC-UE100を一意に識別可能なUE-IDであり、識別対象とするUEに付与される名前のようなものである。Int-IDは、当該Int-IDが有効な閉域網（PLMN）内での転送先のアドレスを特定し、当該アドレスにIPパケットを転送するために用いられる。
【００６２】
IN-CSE200は、MTC-IWF320から取得したインターナルなUE-ID（Int-ID）、本実施形態ではIMSIに基づいて、当該UE-IDと対応付けられたIPアドレス（公衆IPアドレス）から宛先ネットワークの受け口となるGGSN/PGW310のIPアドレスを導出する。さらに、IN-CSE200は、導出したIPアドレスを宛先アドレスに設定し、Int-ID（IMSI）を含むIPパケットをGGSN/PGW310に配信する（ステップ4a）。
【００６３】
GGSN/PGW310は、IN-CSE200から受信したIPパケットに含まれるInt-ID（IMSI）と対応付けられ、MTC-UE100に割り当てられているプライベートIPアドレス、つまり、閉域網（PLMN30）内の転送アドレスを特定する。
【００６４】
さらに、GGSN/PGW310は、特定したプライベートIPアドレスを宛先アドレスに設定した当該IPパケットをMTC-UE100に向けて配信し、当該IPパケットの配信が成功したことを示すDelivered AckをMTC-UE100から受信する（ステップ5）。
【００６５】
具体的には、GGSN/PGW310からMTC-UE100に向けてIPパケットを配信する手順（ステップ5a）は、通常のPLMNにおけるIP着信と同様である。MTC-UE100がドーマント状態であると認識した場合、GGSN/PGW310は、通常のIP着信と同様にMTC-UE100に対するページングを実行し、MTC-UE100は、当該ページングによって起動される。MTC-UE100は、GGSN/PGW310によって配信されたIPパケットの受信に成功すると、Delivered AckをGGSN/PGW310に送信する。
【００６６】
GGSN/PGW310は、受信したDelivered Ackに基づいて、UE-IDを含むDelivered IP packet Ack (UE-ID, UE public IP addressをIN-CSE200に送信する（ステップ4b）。
【００６７】
IN-CSE200は、GGSN/PGW310から受信した当該Delivered IP packet Ack (UE-ID, UE public IP addressに基づいて、MTC-UE100に割り当てられている公衆IPアドレスとUE-IDとを含むMT IP Triggering Ack (confirmed UE public IP addressをAS40Aに送信し、UE-IDに対応する公衆IPアドレスを通知する（ステップ1b）。ステップ1b以降、AS40Aは、MT IP Triggering Ack (confirmed UE public IP addressに含まれる公衆IPアドレスを宛先アドレスに設定したIPパケットをMTC-UE100に向けて直接配信でき、下り方向のIPパケット配信を開始可能となる（ステップ6a）。
【００６８】
一方、IN-CSE200は、GGSN/PGW310からDelivered IP packet Ack (UE-ID, UE public IP addressを受信できない場合、ステップ4aにおける下り方向IPパケットの不達であったことを検出する（ステップ6b）。この場合、IN-CSE200は、T4 based SMS Push手順（非特許文献２のSection X.6.1.2参照）に基づいて、SMSを利用し、AS40AからMTC-UE100への着信動作を起動させる。
【００６９】
（４）作用・効果
通信システム10によれば、MTC-UE100は、PLMN30によって割り当てられた公衆IPアドレスと、MTC-UE100のUE-IDとをPLMN30へのアタッチの際などにIN-CSE200に通知する。また、IN-CSE200は、AS40A, 40BからMTC-UE100への着信を受け付けた場合、保持しているMTC-UE100のUE-IDと対応付けられた公衆IPアドレスに基づいて、宛先ネットワークの受け口となるGGSN/PGW310を特定し、UE-IDを含むIPパケットをGGSN/PGW310に配信する。さらに、GGSN/PGW310は、IN-CSE200から受信したIPパケットに含まれるインターナルなUE-IDに基づいて、MTC-UE100に割り当てられているプライベートIPアドレスを特定し、当該プライベートIPアドレスを宛先アドレスに設定したIPパケットをMTC-UE100に向けて送信する。
【００７０】
このため、NATが用いられる環境において、IPをベースとしたプロトコルによるAS40A, 40BからMTC-UE100への着信が可能となる。つまり、通信システム10によれば、ショートメッセージサービス（SMS）を用いることなく、また、UEやネットワークに機能追加が必要となるICEなどの方法を用いることなく、AS40A, 40BからMTC-UE100への着信が可能となる。
【００７１】
さらに、このようにIP nativeな着信を実現は、M2Mプラットフォーム20とPLMN30とがインターワーキングする通信システム10におけるプロトコルスタックや動作の簡素化が促進され、結果的に安価なシステム構築に寄与する。
【００７２】
本実施形態では、IN-CSE200は、GGSN/PGW310に配信したIPパケットに対する肯定応答（Delivered IP packet Ack (UE-ID, UE public IP address）をGGSN/PGW310から受信した場合、当該IPパケットの宛先アドレスに設定された公衆IPアドレスを含む着信応答（MT IP Triggering Ack (confirmed UE public IP address）をAS40A（またはAS40B）に送信する。このため、当該公衆IPアドレスを受信したアプリケーションサーバは、その後、当該公衆IPアドレスを用いてMTC-UE100に直接IPパケットを配信することができ、通信システム10における処理負荷及びトラフィックを低減できる。
【００７３】
また、本実施形態では、IN-CSE200は、Delivered IP packet Ack (UE-ID, UE public IP addressを受信できない場合、SMSを利用してAS40A（またはAS40B）からMTC-UE100への着信を通知する。このため、MTC-UE100への着信をより確実に通知し得る。
【００７４】
本実施形態では、IN-CSE200は、インターナルなUE-ID及び公衆IPアドレスと対応付けられたトランスポート層のポート番号を含むIPパケットをGGSN/PGW310に配信することができる。このため、公衆IPアドレスが複数のMTC-UEで共用される場合でも、公衆IPアドレスとポート番号の組合せによって、当該公衆IPアドレスに対応付けられているプライベートIPアドレスを判定できる。
【００７５】
本実施形態では、IN-CSE200は、MTC-IWF320から取得したInt-IDを含むIPパケットをGGSN/PGW310に配信させる仕組みを提供することができる。このため、PLMN30内とPLMN30外とで用いるUE-IDが異なる場合でも、PLMN30内で通用するインターナルなUE-IDを含むIPパケットをGGSN/PGW310に配信することができる。
【００７６】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７７】
例えば、上述した本発明の実施形態では、IN-CSE200が、MTC-IWF320から取得したInt-IDを含むIPパケットをGGSN/PGW310に配信することが可能であったが、このような機能は必須ではない。また、IN-CSE200が、UE-ID及び公衆IPアドレスと対応付けられたトランスポート層のポート番号を含むIPパケットをGGSN/PGW310に配信する機能や、SMSを利用してAS40A（またはAS40B）からMTC-UE100への着信を通知する機能も必須ではない。
【００７８】
さらに、IN-CSE200は、必ずしもMT IP Triggering Ack (confirmed UE public IP address）をAS40A（またはAS40B）に送信しなくても構わない。
【００７９】
また、上述した実施形態では、PLMN30が3GやLTEに従った例として説明したが、PLMN30は、2G（GSM（登録商標））に従ったものでも構わない。
【００８０】
なお、上述した本発明は、次のように表現されてもよい。本発明の第１の特徴は、マシン間通信を実行するMTC-UE100（MTCユーザ装置）が無線により接続可能であり、前記MTCユーザ装置に割り当てられるプライベートIPアドレスと公衆IPアドレスとの変換を実行するGGSN/PGW310（ゲートウェイ装置）を含むPLMN30（無線通信ネットワーク）と、前記無線通信ネットワークと接続され、前記マシン間通信に関するサービスを制御するIN-CSE200（サービス制御装置）を含むM2Mプラットフォーム20（M2Mプラットフォーム）とを備える通信システム10（通信システム）であって、前記MTCユーザ装置は、前記無線通信ネットワークによって割り当てられた公衆IPアドレスを前記サービス制御装置に通知するIPアドレス通知部107（IPアドレス通知部）を備え、前記サービス制御装置は、前記MTCユーザ装置から通知された前記公衆IPアドレスを取得するIPアドレス取得部201（IPアドレス取得部）と、前記IPアドレス取得部によって取得された前記公衆IPアドレスと、前記MTCユーザ装置を識別する装置識別子とを対応付けて保持するアドレステーブル保持部203（保持部）と、前記無線通信ネットワーク外に位置するAS40A, 40B（アプリケーションサーバ）から前記MTCユーザ装置宛ての着信を受け付ける着信受付部205（着信受付部）と、前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部211（IPパケット処理部）とを備え、前記ゲートウェイ装置は、前記サービス制御装置から受信した前記IPパケットに含まれる前記装置識別子に基づいて、前記MTCユーザ装置に割り当てられているプライベートIPアドレスを特定するアドレス特定部313（アドレス特定部）を備えることを要旨とする。
【００８１】
本発明の第１の特徴において、前記IPパケット処理部は、前記装置識別子を含み、前記ゲートウェイ装置に配信した前記IPパケットに対する肯定応答（MT IP Triggering Ack (confirmed UE public IP address）を前記ゲートウェイ装置から受信した場合、前記IPパケットの宛先アドレスに設定された前記公衆IPアドレスを含む着信応答を前記アプリケーションサーバに送信してもよい。
【００８２】
本発明の第１の特徴において、前記ゲートウェイ装置に配信した前記IPパケットに対する肯定応答を受信できない場合、インターネットプロトコルを用いないショートメッセージサービスを利用し、前記アプリケーションサーバから前記MTCユーザ装置への着信を通知するSMS処理部213（SMS処理部）を備えてもよい。
【００８３】
本発明の第１の特徴において、前記公衆IPアドレスは、複数のMTCユーザ装置で共用され、前記IPパケット処理部は、前記装置識別子及び前記公衆IPアドレスと対応付けられたトランスポート層のポート番号を含むIPパケットを前記ゲートウェイ装置に配信してもよい。
【００８４】
本発明の第１の特徴において、前記サービス制御装置は、前記保持部に保持されている前記装置識別子と対応付けられ、前記MTCユーザ装置を前記無線通信ネットワーク内において識別可能な内部装置識別子を前記無線通信ネットワークから取得するID処理部209（識別子取得部）をさらに備え、前記IPパケット処理部は、前記識別子取得部によって取得された前記内部装置識別子を含むIPパケットを前記ゲートウェイ装置に配信してもよい。
【００８５】
本発明の第１の特徴において、前記IPアドレス通知部は、前記公衆IPアドレス及び前記装置識別子を前記サービス制御装置に通知し、前記IPアドレス取得部は、前記MTCユーザ装置から通知された前記公衆IPアドレス及び前記装置識別子を取得し、前記保持部は、前記IPアドレス取得部によって取得された前記公衆IPアドレス及び前記装置識別子を対応付けて保持してもよい。
【００８６】
本発明の第２の特徴は、マシン間通信を実行するMTCユーザ装置に割り当てられるプライベートIPアドレスと公衆IPアドレスとの変換を実行するゲートウェイ装置を含む無線通信ネットワークと接続され、前記マシン間通信に関するサービスを制御するサービス制御装置であって、前記MTCユーザ装置に割り当てられた前記公衆IPアドレスを取得するIPアドレス取得部と、前記IPアドレス取得部によって取得された前記公衆IPアドレスと、前記MTCユーザ装置を識別する装置識別子とを対応付けて保持する保持部と、前記無線通信ネットワーク外に位置するアプリケーションサーバから前記MTCユーザ装置宛ての着信を受け付ける着信受付部と、前記着信受付部が前記着信を受け付けた場合、前記保持部に保持されている前記装置識別子と対応付けられた前記公衆IPアドレスが宛先アドレスに設定されるとともに、前記装置識別子を含むIPパケットを前記ゲートウェイ装置に配信するIPパケット処理部とを備えることを要旨とする。
【００８７】
本発明の第３の特徴は、プライベートIPアドレスと公衆IPアドレスとの変換を実行するゲートウェイ装置を含む無線通信ネットワークに無線により接続可能であり、サービス制御装置を含むM2Mプラットフォームと、マシン間通信を実行するMTCユーザ装置であって、前記無線通信ネットワークによって割り当てられた公衆IPアドレスを前記サービス制御装置に通知するIPアドレス通知部を備えることを要旨とする。
【００８８】
本発明の第４の特徴は、マシン間通信を実行するMTCユーザ装置に割り当てられるプライベートIPアドレスと公衆IPアドレスとの変換を実行するゲートウェイ装置であって、前記マシン間通信に関するサービスを制御するサービス制御装置から受信した前記IPパケットに含まれ、前記MTCユーザ装置を識別する装置識別子に基づいて、前記MTCユーザ装置に割り当てられているプライベートIPアドレスを特定するアドレス特定部を備えることを要旨とする。
【００８９】
本発明の第５の特徴は、マシン間通信を実行するMTCユーザ装置が無線により接続可能であり、前記MTCユーザ装置に割り当てられるプライベートIPアドレスと公衆IPアドレスとの変換を実行するゲートウェイ装置を含む無線通信ネットワークと、前記無線通信ネットワークと接続され、前記マシン間通信に関するサービスを制御するサービス制御装置を含むM2Mプラットフォームとによる通信方法であって、前記MTCユーザ装置が、前記無線通信ネットワークによって割り当てられた公衆IPアドレスを前記サービス制御装置に通知するステップと、前記サービス制御装置が、前記MTCユーザ装置から通知された前記公衆IPアドレスを取得するステップと、前記サービス制御装置が、取得した前記公衆IPアドレスと、前記MTCユーザ装置を識別する装置識別子とを対応付けて保持するステップと、前記サービス制御装置が、前記無線通信ネットワーク外に位置するアプリケーションサーバから前記MTCユーザ装置宛ての着信を受け付けるステップと、前記サービス制御装置が、前記着信を受け付けた場合、保持されている前記装置識別子と対応付けられた前記公衆IPアドレスが宛先アドレスに設定されるとともに、前記装置識別子を含むIPパケットを前記ゲートウェイ装置に配信するステップと、前記ゲートウェイ装置が、前記サービス制御装置から受信した前記IPパケットに含まれる前記装置識別子に基づいて、前記MTCユーザ装置に割り当てられているプライベートIPアドレスを特定するステップと含むことを要旨とする。
【００９０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９１】
10  通信システム
20  M2Mプラットフォーム
30  PLMN
40A, 40B  AS
50  DHCPサーバ
60  DNSサーバ
100  MTC-UE
101  アタッチ手順実行部
103  DHCP処理部
105  DNS処理部
107  IPアドレス通知部
200  IN-CSE
201  IPアドレス取得部
203  アドレステーブル保持部
205  着信受付部
207  DNS処理部
209  ID処理部
211  IPパケット処理部
213  SMS処理部
310  GGSN/PGW
311  IPパケット処理部
313  アドレス特定部
320  MTC-IWF
【図１】
2015106812.tif 000003
【図２】
2015106812.tif 000004
【図３】
2015106812.tif 000005
【図４】
2015106812.tif 000006
【図５】
2015106812.tif 000007
【図６】
2015106812.tif 000008
【図７】
2015106812.tif 000009